(57)【特許請求の範囲】
【請求項１】
通信網を介してユーザに関する情報を通信システムに送信するサーバシステムであって、
前記ユーザに関する情報を登録ユーザのユーザ情報として保持するユーザ情報保持部と、
前記ユーザ情報を受け取り、当該サーバシステムの運用者によって指定された、前記ユーザ情報の一部から構成される簡易情報に指定する簡易情報指定部と、
前記簡易情報を携帯電話に送信する第１の通信部と、
前記ユーザ情報を前記携帯電話と異なる第２の通信システムに送信する第２の通信部と
前記第１の通信部が、前記携帯電話と通信した場合に、前記携帯電話がいずれの地域に位置するかを示す位置情報を取得する位置情報取得部と、
前記位置情報取得部が取得した位置情報に基づいて、前記位置情報が示す地域に近い地域に配設された前記第２の通信システムを検索する第２通信システム検索部と
を備え、
前記第１の通信部は、前記第２通信システム検索部が検索した前記第２の通信システムの所在地に関する情報を前記携帯電話に送信するサーバシステム。
【請求項２】
前記ユーザ情報は、前記ユーザの携帯電話番号を含み、
前記第２の通信部は、前記登録ユーザの前記ユーザ情報を前記第２の通信システムに送信した場合に、前記ユーザ情報が送信された旨を、前記ユーザ情報に該当する前記登録ユーザの携帯電話に通知する請求項１に記載のサーバシステム。
【請求項３】
通信網を介してユーザに関する情報を通信システムに送信するサーバシステムであって、
前記ユーザに関する情報を登録ユーザのユーザ情報として保持するユーザ情報保持部と、
前記ユーザ情報を受け取り、当該サーバシステムの運用者によって指定された、前記ユーザ情報の一部から構成される簡易情報に指定する簡易情報指定部と、
前記簡易情報を携帯電話に送信する第１の通信部と、
前記ユーザ情報を前記携帯電話と異なる第２の通信システムに送信する第２の通信部と
を備え、
前記ユーザ情報は、前記ユーザの携帯電話番号を含み、
前記第２の通信部は、前記登録ユーザの前記ユーザ情報を前記第２の通信システムに送信した場合に、前記ユーザ情報が送信された旨を、前記ユーザ情報に該当する前記登録ユーザの携帯電話に通知するサーバシステム。
【請求項４】
前記第２の通信部は、前記第２の通信システムを利用する利用ユーザを識別する識別情報を前記第２の通信システムから受信する手段を有し、
前記第１の通信部は、前記第２の通信部が前記識別情報を受信し、前記第２の通信システムから前記登録ユーザの前記ユーザ情報が前記利用ユーザに提供された場合に、前記利用ユーザの前記ユーザ情報を、前記登録ユーザの前記携帯電話に送信する手段を有する請求項１乃至請求項３のいずれかに記載のサーバシステム。
【請求項５】
通信網を介してユーザに関する情報を通信システムに送信するサーバシステムであって、
前記ユーザに関する情報を登録ユーザのユーザ情報として保持するユーザ情報保持部と、
前記ユーザ情報を受け取り、当該サーバシステムの運用者によって指定された、前記ユーザ情報の一部から構成される簡易情報に指定する簡易情報指定部と、
前記簡易情報を携帯電話に送信する第１の通信部と、
前記ユーザ情報を前記携帯電話と異なる第２の通信システムに送信する第２の通信部と
を備え、
前記第２の通信部は、前記第２の通信システムを利用する利用ユーザを識別する識別情報を前記第２の通信システムから受信する手段を有し、
前記第１の通信部は、前記第２の通信部が前記識別情報を受信し、前記第２の通信システムから前記登録ユーザの前記ユーザ情報が前記利用ユーザに提供された場合に、前記利用ユーザの前記ユーザ情報を、前記登録ユーザの前記携帯電話に送信する手段を有するサーバシステム。
【請求項６】
前記ユーザ情報保持部は、生年月日、住所、または趣味を前記ユーザ情報として保持し、
前記ユーザ情報保持部が保持している前記ユーザ情報から、年齢、住所、または趣味についての統計をとり、前記登録ユーザに関するユーザ統計情報を作成する統計情報作成部と、
広告の内容、及び前記広告を送信すべき広告対象者の条件を、広告主から受信する手段と、
前記広告対象者に該当する前記登録ユーザの前記携帯電話に、前記広告を配信する手段と、
前記ユーザ統計情報を前記広告主に送信する広告主通信部と
をさらに備える請求項１乃至請求項５のいずれかに記載のサーバシステム。
【請求項７】
通信網を介してユーザに関する情報を通信システムに送信するサーバシステムであって、
前記ユーザに関する情報を登録ユーザのユーザ情報として保持するユーザ情報保持部と、
前記ユーザ情報を受け取り、当該サーバシステムの運用者によって指定された、前記ユーザ情報の一部から構成される簡易情報に指定する簡易情報指定部と、
前記簡易情報を携帯電話に送信する第１の通信部と、
前記ユーザ情報を前記携帯電話と異なる第２の通信システムに送信する第２の通信部と
を備え、
前記ユーザ情報保持部は、生年月日、住所、または趣味を前記ユーザ情報として保持し、
前記ユーザ情報保持部が保持している前記ユーザ情報から、年齢、住所、または趣味についての統計をとり、前記登録ユーザに関するユーザ統計情報を作成する統計情報作成部と、
広告の内容、及び前記広告を送信すべき広告対象者の条件を、広告主から受信する手段と、
前記広告対象者に該当する前記登録ユーザの前記携帯電話に、前記広告を配信する手段と、
前記ユーザ統計情報を前記広告主に送信する広告主通信部と
をさらに備えるサーバシステム。
【請求項８】
前記第１の通信部が、前記広告を送信した場合に、前記広告に対応づけて、前記広告を送信した前記ユーザに関する配信ユーザ統計情報を作成する配信統計作成部をさらに備え、
前記広告主通信部は、前記広告主に前記配信ユーザ統計情報を送信する請求項６又は請求項７に記載のサーバシステム。
【請求項９】
前記簡易情報指定部は、前記登録ユーザが前記ユーザ情報を登録した場所を示す地域情報を前記簡易情報に指定する請求項１乃至請求項８のいずれかに記載のサーバシステム。
【請求項１０】
前記ユーザ情報のうち前記通信網を介して公開すべき公開情報を指定する公開情報指定部をさらに備え、
前記第２の通信部は、前記公開情報を前記第２の通信システムに送信する請求項１乃至請求項９のいずれかに記載のサーバシステム。
【発明の詳細な説明】
【０００１】
【発明の属する技術分野】
本発明は、サーバおよび情報配信システムに関する。特に、ユーザに関する情報を登録し、登録されたユーザ情報を通信網を介して送受信するサーバシステム、及びそのようなサーバシステムと通信を行う情報配信システムに関する。
【０００２】
【従来の技術】
従来、ユーザ間の情報交換を電子的に仲介する情報交換仲介装置が知られている。例えば、特開平１０−２３２８９３号公報は、インターネット上でＷＷＷサーバとしてユーザ間の情報交換を仲介する装置を開示している。
【０００３】
また、近年、携帯電話が急速に普及し、ビジネスツール、及びコミュニケーションツールとして幅広い層のユーザに利用されている。
【０００４】
【発明が解決しようとする課題】
しかし、情報交換を行う場合、ユーザの希望にマッチした情報を提供することが重要であり、より希望に添った情報を提供することが望まれている。また、情報公開による個人情報の流出が問題となっていた。
【０００５】
そこで本発明は、上記の課題を解決することのできる撮像システム、サーバシステム、及び通信システムを提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、通信網を介してユーザに関する情報を通信システムに送信するサーバシステムが提供される。上記サーバシステムは、前記ユーザに関する情報を入力する入力部と、前記ユーザに関する情報を受け取り、前記ユーザに関する情報のうち所定の情報を簡易情報に指定する簡易情報指定部と、前記簡易情報を認識可能な状態に、前記ユーザ情報を登録ユーザのユーザ情報として保持するユーザ情報保持部と、前記簡易情報を第１の通信システムに送信する第１の通信部と、前記ユーザ情報を前記第１の通信システムと異なる第２の通信システムに送信する第２の通信部とを備える。
【０００７】
上記サーバシステムにおいて、前記第１の通信システムは、携帯電話であることが好ましい。また、前記簡易情報指定部は、前記ユーザの属する地域を示す地域情報を前記簡易情報に指定することが好ましい。さらに、前記簡易情報指定部は、前記登録ユーザが前記ユーザ情報を登録した場所を示す情報を前記地域情報として指定することが好ましい。
【０００８】
また、上記サーバシステムは、前記第１の通信部が、前記携帯電話と通信した場合に、前記携帯電話がいずれの地域に位置するかを示す位置情報を取得する位置情報取得部と、前記位置情報取得部が取得した位置情報に基づいて、前記位置情報が示す地域に近い地域に配設された前記第２の通信システムを検索する第２通信システム検索部とをさらに備え、前記第１の通信部は、前記第２通信システム検索部が検索した前記第２の通信システムの所在地に関する情報を前記携帯電話に送信することが好ましい。
【０００９】
また、上記サーバシステムは、前記ユーザ情報のうち前記通信網を介して公開すべき公開情報を指定する公開情報指定部をさらに備え、前記第２の通信部は、前記公開情報を前記第２の通信システムに送信することが好ましい。
【００１０】
前記ユーザ情報は、前記ユーザの携帯電話番号を含み、前記第２の通信部は、前記登録ユーザの前記ユーザ情報を前記第２のシステムに送信した場合に、前記ユーザ情報が送信された旨を、前記ユーザ情報に該当する前記登録ユーザの携帯電話に通知することが好ましい。
【００１１】
前記第２の通信部は、前記第２の通信システムを利用する利用ユーザを識別する識別情報を前記第２の通信システムから受信する手段を有し、前記第１の通信部は、前記第２の通信部が前記識別情報を受信した場合に、前記利用ユーザの前記ユーザ情報を前記第１のシステムに送信する手段とを有し、前記ユーザ情報保持部が前記識別情報に対応する前記利用ユーザの前記ユーザ情報も保持する場合に、前記第１の通信部は、前記登録ユーザの携帯電話に、前記利用ユーザの前記ユーザ情報を送信することが好ましい。
【００１２】
上記サーバシステムは、前記ユーザ情報保持部に登録されている前記ユーザ情報から前記登録ユーザに関するユーザ統計情報を作成する統計情報作成部と、  前記登録ユーザに広告を配信する広告主に、前記ユーザ統計情報を送信する広告主通信部とをさらに備えることであってもよい。
【００１３】
この場合に、前記第１の通信部及び前記第２の通信部の少なくとも一方が、前記広告を送信した場合に、前記広告に対応づけて、前記広告を送信した前記ユーザに関する配信ユーザ統計情報を作成する配信統計作成部をさらに備え、  前記広告主通信部は、前記広告主に前記配信ユーザ統計情報を送信することが好ましい。
【００１４】
本発明の第２の形態によれば、登録ユーザに関するユーザ情報を保持し、通信網を介して前記ユーザ情報を送受信可能なサーバシステムと通信可能な情報配信システムが提供される。上記情報配信システムは、利用ユーザを認識可能な識別情報を入力する識別情報入力部と、前記識別情報入力部が前記識別情報を受け取った場合に、前記サーバシステムからいずれの前記登録ユーザの前記ユーザ情報を受信するかを示す指定を受け付けるユーザ特定部と、指定された前記ユーザ情報として、前記登録ユーザのプロフィール及び前記登録ユーザの画像を前記サーバシステムから受信する受信部と、受信した前記登録ユーザの前記プロフィール及び前記画像をプリントするプリント部とを備える。
【００１５】
この場合、前記ユーザ情報は、前記ユーザの携帯電話番号を含み、前記プリント部が前記プロフィール及び前記画像をプリントした場合に、前記サーバシステムを介して前記プリントした情報に対応する前記ユーザの携帯電話に、プリントされた旨を送信する送信部をさらに備えることが好ましい。
【００１６】
また、上記情報配信システムは、前記利用ユーザから、前記登録ユーザの携帯電話に送信すべき返信情報の入力を受け付ける返信情報入力部をさらに備え、前記送信部は、前記返信情報を前記携帯電話に送信させる旨を示す情報を前記サーバシステムに送信することが好ましい。
【００１７】
また、上記情報配信システムは、前記利用ユーザから前記登録ユーザに返信することが要求された場合に、予め前記サーバシステムに保持されている前記利用ユーザのユーザ情報を前記登録ユーザの前記携帯電話に送信させる旨を示す情報を前記サーバシステムに送信することが好ましい。
【００１８】
さらに、上記情報配信システムは、前記利用ユーザのユーザ情報の中から、前記登録ユーザに送信すべき情報を選択して、前記登録ユーザの前記携帯電話に送信させる旨を示す情報を前記サーバシステムに送信することが好ましい。
【００１９】
なお上記の発明の概要は、本発明の必要な特徴の全てを列挙したものではなく、これらの特徴群のサブコンビネーションも又発明となりうる。
【００２０】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００２１】
（第１の実施形態）
はじめに、本発明に係る通信システムの第１の実施形態について説明する。
図１は、本実施形態の通信システムの概略図である。この通信システムは、通信網３００を介して互いに通信できる１又は２以上の撮像システム１００及びサーバシステム２００を備える。
【００２２】
撮像システム１００は、ユーザの画像情報、音声情報およびユーザのプロフィールに関する文字情報（以下、これらの情報を「ユーザ情報」という）を取得する。また、撮像システム１００は、取得したユーザ情報を表示および印刷する。さらに、撮像システム１００は、取得したユーザ情報を通信網３００を介してサーバシステム２００に送信する。
【００２３】
サーバシステム２００は、撮像システム１００が送信したユーザ情報をデータベースに保存する。本明細書では、このように、ユーザ情報がサーバシステム２００に保存されたユーザを「登録ユーザ」という。
【００２４】
サーバシステム２００は、撮像システム１００から検索条件を受け取り、その検索条件に合致するユーザ情報を検索する。さらに、サーバシステムは、検索結果として得られたユーザ情報のうち、第三者に公開できる公開情報を撮像システム１００へ送信する。この場合、撮像システム１００は、送信された公開情報をモニタに表示又はプリンタで印刷する。
【００２５】
サーバシステム２００は、携帯電話と通信を行い、携帯電話からユーザ情報を検索するための検索条件を受け付ける。この場合、サーバシステム２００は、検索条件に合致するユーザ情報の一部を簡易情報として携帯電話に送信する。さらに、サーバシステム２００は、携帯電話から見た最寄りの撮像システム１００を特定し、その位置を携帯電話に通知する。これは、簡易情報を見て、撮像システム１００で詳細なユーザ情報を閲覧したいと願うユーザの便宜を図るためである。
【００２６】
図２は、撮像システム１００の概略機能ブロック図である。撮像システム１００は、携帯電話差込口１０４ａ，ｂ，ｃ、操作部１１０、携帯電話通信部１１２、個人認証データメモリ１１４、制御部１１６、撮像ユニット１２０、画像メモリ１２２、音声データメモリ１２４、プロフィールメモリ１２６、公開内容メモリ１２８、検索条件メモリ１３０、公開情報メモリ１３２、サーバ通信部１３４、ＬＣＤモニタ１０２、及びプリンタ１０６を備える。
【００２７】
携帯電話通信部１１２は、携帯電話差込口１０４を介して携帯電話４００と通信を行い、その電話番号を取得して個人認証用メモリ１２０に格納する。本実施形態において、携帯電話の電話番号は、本通信システムを利用するユーザを認証する個人認証用データである。
【００２８】
撮像ユニット１２０は、ユーザの画像を撮像し、デジタルデータに変換する。撮像ユニット１２０によって取得された画像データは、画像メモリ１２２に格納される。
マイク１０８は、ユーザの音声を取得する。取得された音声データは、音声データメモリ１２４に格納される。
【００２９】
制御部１１６は、携帯電話通信部１１２、撮像ユニット１２０、マイク１２２の動作を制御する。また、制御部１１６は、操作部１１０を介して、ユーザのプロフィールに関する文字情報の入力を受け付け、プロフィールメモリ１２６に格納する。また、制御部１１６は、操作部１１０を介してユーザからの指示の入力をも受け付ける。
制御部１１６は、サーバ通信部１３４を介してサーバシステム２００と通信を行う。サーバ通信部１３４を介した通信により、制御部１１６は、サーバシステム２００からユーザ情報のうちの公開情報を受信する。受信した公開情報は、公開情報メモリ１３２に格納される。
【００３０】
制御部１１６は、公開情報メモリ１３２に保存されている公開情報、画像メモリ１２２に保存されている画像情報、及びプロフィールメモリに保存されている情報の各々をＬＣＤモニタ１０２に表示させる。また、制御部１１６は、上記情報をプリンタ１０６に印刷させる。
制御部１１６は、撮像ユニット１２０が取得し、画像メモリに格納した画像情報を携帯電話通信部１１２を介して携帯電話に送信する。この場合、制御部１１６は、携帯電話の壁紙として使用可能な形態で画像情報を送信する。
【００３１】
図３は、撮像システム１００の外観図である。撮像システム１００は、その前面に、モニタ１０２、マイク１０８、操作部１１０及び撮像ユニット１２０を備えている。ユーザは、ユーザ情報の登録を行う際に、モニタ１０２の表示を確認しながら自己の画像を撮影させること、音声を入力すること、指示等を入力することができる。
【００３２】
撮影システム１００は、その前面に、携帯電話差込口１０４をも備える。携帯電話差込口１０４は、差し込まれた携帯電話を保持できる形状を有する。したがって、ユーザは、携帯電話から完全に手を離し、自由なポーズを取って撮像ユニット１０２による撮影に望める。
【００３３】
図４は、サーバシステム２００の概略機能ブロック図である。サーバシステム２００は、撮像システム通信部２０２、サーバシステム制御部２０４、ユーザ情報データベース２０６、プロフィールデータベース２０８、画像データベース２１０、音声データベース２１２、所在地データベース２１６、公開内容ファイル２１８、公開希望項目ファイル２２０、簡易情報項目ファイル２２２、及び携帯電話通信部２１４を備える。
【００３４】
サーバシステム制御部２０４は、撮像システム通信部２０２を介して撮像システム１００と通信を行い、ユーザ情報等を送受信する。サーバシステム制御部２０４は、携帯電話通信部２１４を介して携帯電話４００と通信を行い、ユーザ情報の検索条件、ユーザ情報の一部から構成される簡易情報等を送受信する。
【００３５】
公開内容ファイル２１８は、サーバシステム制御部２０４が撮像システム１００との通信で取得した公開内容指定情報を格納する。公開内容ファイル２１８において、公開内容指定情報は、個人認証用データである携帯電話の電話番号と関連づけられて保存される。
【００３６】
公開希望項目ファイル２２０は、本通信システムの運用者が、登録されているユーザ情報の中で第３者に公開したいと希望する公開希望項目を格納する。公開希望項目は、例えば本システムの運用者により不図示の入力手段を介してサーバシステム２００に入力される。
【００３７】
簡易情報項目ファイル２２２は、例えば本通信システムの運用者が、ユーザ情報の中で簡易情報に含めたいと希望する簡易情報項目を格納する。この簡易情報項目は、公開希望項目の一部から構成される。簡易情報項目は、本システムの運用者により、不図示の入力手段を介してサーバシステム２００に入力される。
【００３８】
プロフィールＤＢ２０８は、ユーザのうちのプロフィールを保存する。画像ＤＢ２１０は、ユーザ情報のうちの画像データを保存する。画像ＤＢ２１０は、画像データをユーザの携帯電話の電話番号と関連づけて保存する。音声ＤＢ２１２は、ユーザ情報のうち音声メッセージを格納する。音声ＤＢ２１２は、音声データをユーザの携帯電話の電話番号と関連づけて保存する。ユーザ情報ＤＢ２０６は、プロフィールＤＢ、画像ＤＢおよび音声ＤＢに保存されているファイル名および携帯電話の電話番号を保存する。所在地ＤＢ２１６は、撮像システム１００の所在地に関する情報を保存する。撮像システム１００の所在地に関する情報とは、ユーザがその撮像システムへ行くために利用できる情報をいう。
【００３９】
なお、サーバシステムサーバシステム制御部２０４は、上記したメモリ２１８、２２０，２２２及びデータベース２０６，２０８，２１０，２１２，２１６のデータの書き込み、読み出し、及び消去を行う。
【００４０】
図５は、プロフィールＤＢ２０８の構成を示す。プロフィールＤＢ２０８は、各ユーザのプロフィールとして性別、生年月日、住所、趣味、好みの音楽、メッセージ等がユーザの電話番号に関連づけて保存する。プロフィールＤＢ２０８は、各項目にフラグを立てるための２つの領域２０８ａ及び２０８ｂを有する。領域２０８ａは、対応する項目の情報を公開情報に指定する領域（以下、「公開フラグ領域」という）である。公開情報とは、第３者が閲覧を要求した場合に、第３者に公開される情報をいう。公開フラグ領域２０８ａには、対応する項目の情報を公開情報に指定するときにフラグを立てる。
【００４１】
領域２０８ｂは、対応する項目の情報を簡易情報に指定する領域（以下、「簡易フラグ領域」という）である。簡易フラグ領域２０８ｂには、対応する項目の情報を簡易情報に指定するときにフラグを立てる。
【００４２】
図６は、ユーザ情報ＤＢ２０６の構成を示す。ユーザ情報ＤＢ２０６は、ユーザ情報のＩＤ番号、携帯電話の電話番号、並びに、その電話番号に係るユーザの画像データのファイル名、プロフィールのファイル名、及び音声メッセージのファイル名から構成される。
【００４３】
図７は、所在地ＤＢの構成を示す。所在地ＤＢの第１の項目は、個々の撮像システム１００を識別するための識別情報である。本実施形態では、撮像システム１００の識別情報として各々の撮像システムに付与されている識別番号を用いている。所在地ＤＢの第２の項目は、第１の項目の識別情報により特定される撮像システムが設置されている住所である。第３の項目は、その撮像システムの最寄りの交通機関である。ここには、例えば鉄道の線路名及び駅名、又は、バスの路線名及び停留所名が保存される。第４の項目は、その撮像システムの近くにある目印となるものの名称、俗称等である。ここには、例えば、撮像システムの近くにある著名な建築物の名称が保存される。第５の項目は、その撮像システムが所在地周辺の地図である。
【００４４】
次に、ユーザ情報を登録（以下、「ユーザ登録」という）する際の本実施形態の動作について説明する。本実施形態でユーザ登録を行うときは、ユーザが撮像システム１００にユーザ情報を入力する。撮像システム１００は、入力されたユーザ情報をサーバシステム２００へ送信する。サーバシステム２００は、送信されたユーザ情報を関連するデータベースに保存する。
【００４５】
図８は、ユーザ登録を行うときの撮像システム１００の動作を示すフローチャートである。ユーザ登録は、ユーザが、携帯電話４００を撮像システム１００の携帯電話差込口１０４に挿入すると可能になる。ユーザが携帯電話差込口１０４に携帯電話４００を挿入すると、携帯電話通信部１１２が携帯電話との通信を確立する（Ｓ１００）。通信が確立されると、携帯電話通信部１１２が携帯電話４００の電話番号を取得し、個人認証用データメモリ１１４に保存する（Ｓ１０２）。次に、撮像ユニット１２０が撮像システム１００の前にいるユーザの画像を撮像し、取得した画像データを画像メモリ１２２に保存する（Ｓ１０４）。
【００４６】
次に、制御部１１６が、モニタ１０２にユーザ登録を行うか否かのメッセージを表示させ、ユーザにユーザ登録を行うか否かを問い合わせる（Ｓ１０６）。ここで、ユーザがユーザ登録をする旨を操作部１１０に入力すると、ユーザ情報の入力処理が行われる（Ｓ１０６：Ｙｅｓ、Ｓ１０８）。具体的には、制御部１１６が図９（ａ）に示す画面（以下、「入力画面」という）をモニタ１０２に表示させる。同時に、制御部１１６は、名前、性別等、プロフィール入力画面における各項目を入力すべき旨のメッセージをモニタ１０２に表示させる。これらの項目の入力があると、制御部１１６は、入力された情報をプロフィールメモリ１２６に保存する。次に、制御部１１６は、音声メッセージを入力すべき旨のメッセージをモニタ１０２に表示させる。音声メッセージは、マイク１０８により取得され、音声データメモリ１２４に保存される。
【００４７】
次に、制御部１１６は、ユーザから公開内容の指定を受ける（Ｓ１１０）。具体的には、制御部１１６は、入力画面の各項目の中で第３者への公開をユーザが容認する項目については、その項目のチェックボックスをチェックすべき旨をモニタ１０２に表示させる。図９（ｂ）に、ユーザがチェックボックスをチェックした後の画面例を示す。図９（ｂ）に示す例では、ユーザは、生年月日、趣味、好物、音楽および音声メッセージのチェックボックスをチェックしている。つまり、ユーザは、生年月日等の情報を第３者に公開することを容認している。公開内容の指定が終了すると、制御部１１６はチェックされた項目名を公開内容指定情報として公開内容メモリ１２８に保存する。
【００４８】
次に、制御部１１６は、サーバ通信部１３４を介してユーザ情報をサーバシステム２００に送信する（Ｓ１１２）。すなわち、制御部１１６は、個人認証データメモリ１１４、画像メモリ１２２、音声データメモリ１２４、プロフィールメモリ１２６、及び公開内容メモリ１２８に保存されている各情報をサーバシステム２００へ送信する。このとき、各情報は、個人認証データメモリ１１４に保存されている電話番号と関連づけられて送信される。
なお、Ｓ１０６においてユーザがユーザ登録をしない旨を入力した場合には、上記したＳ１０８からＳ１１２の処理は実行されない（Ｓ１０６：Ｎｏ）。
【００４９】
次に、制御部１１６は、画像メモリ１２２に保存されている画像データをプリンタ１０６に送り、印刷させる（Ｓ１１４）。図１０（ａ）は、このときプリンタ１０６から印刷される印刷物の一例を示している。本実施形態では、シール４１０が印刷される。
【００５０】
次に、制御部１１６は、携帯電話通信部１１２を介してその画像データを携帯電話４００に送信する（Ｓ１１６）。このとき、画像データは、携帯電話４００の壁紙として使用できる形態で送信される。図１０（ｂ）は、このとき送信された画像が壁紙として携帯電話の表示部に表示されている例を示す。
携帯電話への画像データの送信が終了すると、撮像システム１００は、ユーザ登録の処理を終了する。
【００５１】
次にサーバシステム２００の動作について説明する。図１１は、ユーザ登録時のサーバシステム２００の動作を示すフローチャートである。
はじめに、サーバシステムの制御部２０４は、撮像システム通信部２０２を介して、撮像システム１００からユーザ情報を受信する（Ｓ２００）。
次に、サーバシステム制御部２０４は、受信したユーザ情報に係るユーザが既に登録されている登録ユーザか否かを確認する（Ｓ２０２）。この確認は、受信した電話番号を検索キーとして、ユーザ情報ＤＢ２０６に保存されている電話番号を検索することで行う。
【００５２】
検索の結果、検索キーに一致する電話番号が発見されなかった場合、サーバシステム制御部２０４は受信したユーザ情報が未登録のユーザに関する情報であると判断する（Ｓ２０２：Ｎｏ）。この場合、サーバシステム制御部２０４はそのユーザ情報に新しいＩＤ番号を付与する（Ｓ２０４）。一方、Ｓ２０２で検索キーに一致する電話番号が発見された場合には、サーバシステム制御部２０４は受信したユーザ情報が既に登録されている登録ユーザに関する情報であると判断する（Ｓ２０２：Ｙｅｓ）。この場合には、Ｓ２０４の処理は実行されない。
【００５３】
次に、サーバシステム制御部２０４は、受信したデータを各々の記憶手段に格納する（Ｓ２０６）。すなわち、サーバシステム制御部２０４は、プロフィールをプロフィールＤＢ２０８に、画像データを画像ＤＢ２１０に、音声データを音声ＤＢ２１２にそれぞれ電話番号およびＩＤ番号とともに格納する。また、サーバシステム制御部２０４は、プロフィール、画像データおよび音声データのファイル名を電話番号とともにユーザ情報ＤＢ２０８に格納する。さらに、サーバシステム制御部２０４は、公開内容指定情報を電話番号とともに公開内容ファイル２１８に格納する。なお、新しいＩＤ番号が付与されている場合には、各情報は各々のデータベースの新しい領域に格納される。新しいＩＤ番号が付与されていない場合には、同一の電話番号に関連づけられている領域に上書きされる。
【００５４】
次に、サーバシステム制御部２０４は、格納したユーザ情報のうちで、通信網３００を介して公開する公開情報を指定する（Ｓ２０８）。具体的には、まず、公開希望項目ファイル２２０から公開希望項目を読み出す。次に、読み出した公開希望項目と受信した公開内容指定情報とを比較し、双方に存在する重複項目を抽出する。最後に、プロフィールＤＢ２０８にアクセスし、受信した電話番号に関連づけられている情報の中で、重複項目と一致する項目の公開フラグ領域２０８ａにフラグを立てる。なお、重複項目にのみフラグを立てるは、登録ユーザが公開を認めていない情報を公開情報に指定し、公開するのは妥当でないからである。
【００５５】
次に、サーバシステム制御部２０４は、ユーザ情報の一部を簡易情報に指定する（Ｓ２１０）。具体的には、まず、簡易情報項目ファイル２２２から簡易情報項目を読み出す。次に、読み出した簡易情報項目と受信した公開内容指定情報とを比較し、双方に存在する重複項目を抽出する。最後に、プロフィールＤＢ２０８にアクセスし、受信した電話番号に関連づけられている情報の中で、重複項目と一致する項目の簡易情報フラグ領域２０８ｂにフラグを立てる。前述したように、簡易情報項目は、公開希望項目の一部から構成される。したがって、簡易情報に指定される項目も公開情報に指定されている項目の一部から構成される。つまり、簡易情報は、公開情報の一部を抽出した情報となる。
簡易情報を指定した後、サーバシステム制御部２０４は、ユーザ登録の処理を終了する。
【００５６】
次に、登録されているユーザ情報を検索、閲覧するときの本実施形態の動作について説明する。本実施形態では、サーバシステム２００に登録されているユーザ情報を携帯電話４００又は撮影システム１００のいずれからも検索し、閲覧できる。
【００５７】
携帯電話を用いて検索、閲覧する場合は、はじめに利用ユーザがサーバシステム２００に携帯電話から電話をかけ、通信を確立しなければならない。通信を確立した後に、利用ユーザは閲覧したいユーザ情報についての検索条件をサーバシステム２００へ送信する。なお、検索条件としては、プロフィールＤＢ２０８にあるいずれの項目も利用できる。例えば、項目「性別」で「男」を指定し、項目「趣味」で「ダンス」を指定できる。さらに、検索条件としては、ユーザ情報のＩＤ番号を指定できる。
【００５８】
図１２は、利用ユーザが検索条件を送信した後のサーバシステム２００の動作を示すフローチャートである。
はじめに、サーバシステムの制御部２０４は、携帯電話通信部２１４を介して検索条件を受信する（Ｓ３０２）。
【００５９】
次に、サーバシステム制御部２０４は、プロフィールＤＢ２０８を検索して、検索条件に一致するユーザ情報を特定する（Ｓ３０４）。例えば、検索条件として「住所」＝「東京都」と指定されている場合には、項目「住所」に「東京都」と記載されているユーザ情報を検索する。なお、検索条件として「住所」＝「東京都」と指定された場合でも、項目「住所」に「東京都」とあるユーザ情報のみでなく、東京都に隣接する「千葉県」又は「神奈川県」に在住するユーザのユーザ情報を検索結果に含めてもよい。同様に、検索条件として「年齢」＝「２０」を指定した場合に、年齢が１９歳以上２１歳以下の登録ユーザに係るユーザ情報を検索結果に含めてもよい。この場合、検索結果から個人情報を特定しにくいという効果が得られる。また、検索は、プロフィールＤＢ２０８の公開情報フラグ領域２０８ａにフラグが立っている情報のみを対象に行ってもよい。この場合には、登録ユーザが公開を容認していない情報が、検索条件の組み合わせによって第三者に知られることを防止できる。
【００６０】
次に、サーバシステム制御部２０４は、特定されたユーザ情報から簡易情報を抽出する（Ｓ３０６）。具体的には、サーバシステム制御部２０４は、特定されたユーザ情報のＩＤ番号を抽出する。次に、サーバシステム制御部２０４は、特定されたユーザ情報の簡易情報フラグ領域２０８ｂを参照し、そこにフラグが立っている項目の情報のみを抽出する。最後に、抽出された情報を、先に抽出されたＩＤ番号と関連づけることで簡易情報の抽出は完了する。
【００６１】
次に、サーバシステム制御部２０４は、抽出したＩＤ番号付きの簡易情報を携帯電話へ送信する（Ｓ３０８）。この場合、１つの簡易情報のみを送信してもよく、検索で得られた２つ以上の簡易情報を全て送信してもよい。ここでは、ユーザ情報の全部でなく、その一部である簡易情報のみが送信されるので、携帯電話に過度の通信負荷が与えられることはない。また、簡易情報のみを送信することは、携帯電話のメモリ資源の消費を小さくする。なお、簡易情報に画像情報が含まれる場合には、画像はサムネイル画像として送信することが好ましい。
【００６２】
次に、サーバシステム制御部２０４は、通信中の携帯電話の位置を特定する（Ｓ３１０）。これは、例えば、その携帯電話の通信システムを運営している電話会社から情報を取得することで行う。
次に、サーバシステム制御部２０４は、携帯電話の最寄りの撮像システムを特定する（Ｓ３１２）。これは、たとえば、所在地ＤＢ２１６に保存されている住所の中で、Ｓ３１０で特定された携帯電話の位置にもっとも近い住所を特定して行う。
【００６３】
最後に、サーバシステム制御部２０４は、携帯電話に最寄りの撮像システムの所在地に関する情報を送信する（Ｓ３１４）。これは、Ｓ３００で特定された撮像しシステムの住所その他の項目を所在地ＤＢ２１６から抽出し、これを携帯電話に送信することにより行う。なお、送信する項目は、少なくとも一つあれば足りる。
撮像システムの所在地に関する情報を送信すると、サーバシステム２００は、処理を終了する。
【００６４】
簡易情報を受け取った利用ユーザは、携帯電話の表示部でその内容を閲覧し、又は、携帯電話のスピーカから音声メッセージを聞くことができる。簡易情報は、携帯式の通信システムによって受信されるので、利用ユーザは、それを好きな時間・場所で閲覧できる。受け取った簡易情報の中に興味を引くものがあり、より詳細なユーザ情報を知りたいと思う場合は、撮像システムでそのユーザ情報を取得、閲覧又は印刷することができる。迅速に撮像システムへ行くためには、サーバシステムから携帯電話に送信された「最寄りの撮像システムの所在地に関する情報」を利用できる。
【００６５】
次に、利用ユーザが、簡易情報を受信した後に、撮像システム１００へ行き、より詳細なユーザ情報を取得する場合の本実施形態の動作について説明する。
はじめに、撮像システムの動作について説明する。図１３は、利用ユーザがユーザ情報を検索、閲覧する場合の撮像システム１００の動作を示すフローチャートである。
【００６６】
撮像システム１００でユーザ情報の検索を行うためには、ユーザは、はじめに自己の携帯電話を携帯電話差込口に差し込まなければならない。
携帯電話が差し込まれると、撮像システム１００が携帯電話の電話番号を取得する（Ｓ４０２）。具体的には、撮像システムの携帯電話番号が携帯電話通信部を介して個人認証用データメモリ１１４に保存される。
【００６７】
次に、撮像システム１００の制御部１１６は、操作部１１０を介して検索条件の入力を受ける（Ｓ４０４）。撮像システム１００においても、ユーザは、プロフィールＤＢ２０８が有する全ての項目を検索条件として利用できる。ここでは、一例として、簡易情報に含まれているＩＤ番号を検索条件として入力する。入力された検索条件は、検索条件メモリ１３０に保存される。
【００６８】
次に、制御部１１６は、サーバシステム２００にユーザ条件を検索すべき旨の指示を送信する（Ｓ４０６）。この指示には、検索条件メモリ１３０に保存されている検索条件がパラメータとして付加される。
サーバシステムから検索結果が返信されると、制御部１１６は、その検索結果を公開情報メモリ１３２に保存するとともに、公開情報メモリに保存された内容をモニタ１０２に表示する（Ｓ４０８）。
【００６９】
次に、制御部１１６は、表示した情報を印刷するか否かを問うメッセージをモニタ１０２に表示する（Ｓ４１０）。これに対し、ユーザが印刷すべき旨を選択すると、制御部１１６は、公開情報メモリ１３２に保存されている検索結果をプリンタ１０６に印刷させる（Ｓ４１０：Ｙｅｓ、Ｓ４１２）。一方、ユーザが印刷しない旨を選択すると、Ｓ４１０の処理は実行されない（Ｓ４１０：Ｎｏ）。
【００７０】
次に、制御部１１６は、利用ユーザが自己の情報を簡易情報に係るユーザ（以下、「相手方」という）に送信したいか否かを問うメッセージをモニタ１０２に表示する（Ｓ４１４）。これに対し、ユーザが、送信しない旨を選択すると、制御部１１６は、「相手方に公開情報がプリントされたことのみを通知」すべき旨の指示をサーバシステムに送信する（Ｓ４１４：Ｎｏ、Ｓ４１６）。指示の送信後、撮像システム１００は処理を終了する。
【００７１】
Ｓ４１４において、ユーザが相手方に自己の情報を送信する旨を選択すると、制御部１１６は、Ｓ４０２で取得した電話番号とともに、その利用ユーザが登録ユーザであるか否かをサーバシステム２００に問い合わせる（Ｓ４１４：Ｙｅｓ、Ｓ４１８）。
【００７２】
問い合わせの結果、その利用ユーザが登録ユーザでなかった場合には、ユーザ情報の登録が行われる（Ｓ４１８：Ｎｏ、Ｓ４２０）。具体的には、図８のＳ１０４からＳ１１６までと同様な処理が行われる。なお、Ｓ４１８の問い合わせの結果、その利用ユーザが登録ユーザであった場合には、Ｓ４２０の処理は実行されない。
次に、制御部１１６は、利用ユーザの公開情報を相手方に送信すべき旨をサーバシステム２００に指示する（Ｓ４２２）。指示の後、撮像システム１００は処理を終了する。
【００７３】
図１４は、利用ユーザがユーザ情報を検索、閲覧する場合のサーバシステム２００の動作を示すフローチャートである。以下、図１４を用いてユーザ情報の検索等におけるサーバシステム２００の動作について説明する。
【００７４】
はじめに、サーバシステム２００の制御部２０４は、図１３のＳ４０６で撮像システム１００から送信された検索条件を受信し、その検索条件に基づいてユーザ情報の検索を行う（Ｓ５０２）。本実施形態の場合、Ｓ４０６で検索条件として送信されたのはユーザ情報のＩＤ番号である。サーバシステム制御部２０４は、このＩＤ番号を検索キーとしてユーザ情報ＤＢ２０６を検索し、相手方の電話番号を特定する。さらに、サーバシステム制御部２０４は、特定された電話番号を検索キーとしてプロフィールＤＢ２０８等を検索し、電話番号に関連づけられている情報を特定する。
次に、サーバシステム制御部２０４は、特定された情報から公開情報を抽出し、これを撮像システムへ送信する（Ｓ５０４）。
【００７５】
次に、サーバシステムは、相手方に利用ユーザの情報を送信するか否かを判断する（Ｓ５０６）。具体的には、撮像システム１００から、「相手方に公開情報がプリントされたことのみを通知」すべき旨の指示（図１３、Ｓ４１６参照）を受信したときには、相手方にユーザ情報を送信しないと判断する（Ｓ５０６：Ｎｏ）。この場合、サーバシステム制御部２０４は、単に「公開情報が閲覧、印刷された」旨の通知を相手方の携帯電話に送信し、処理を終了する（Ｓ５０８）。これにより、相手方は、自分のユーザ情報が他人により閲覧、印刷されたことを直ちに知ることができる。また、相手方は、上記通知の回数から、自分のユーザ情報が閲覧されている頻度を知ることもできる。
【００７６】
一方、Ｓ５０６において、撮像システム１００から、「利用ユーザの公開情報を相手方に送信」すべき旨の指示（図１３，Ｓ４２２参照）を受信したときは、サーバシステム制御部２０４は次に利用ユーザの電話番号を取得する（Ｓ５０６：Ｎｏ、Ｓ５１０）。ここで取得する電話番号は、図１３のＳ４１８で撮像システム１００から送信された電話番号である。
【００７７】
電話番号を取得したサーバシステム制御部２０４は、利用ユーザのユーザ情報が登録済みであるか否かを調べる（Ｓ５１２）。具体的には、取得した電話番号を検索キーとしてユーザＤＢ２０６を検索する。
【００７８】
検索の結果、検索キーに一致する電話番号が発見されなかったときは、利用ユーザは登録ユーザでないと判断する（Ｓ５１２：Ｎｏ）。この場合、サーバシステム制御部２０４はユーザ登録のための処理を実行する（Ｓ５１４）。すなわち、サーバシステム制御部２０４は、撮像システム１００に利用ユーザが登録ユーザでない旨を返信する。返信の後、サーバシステム制御部２０４は、図１２において説明したのと同様の処理を実行し、ユーザ登録を行う。
【００７９】
Ｓ５１２の検索の結果、検索キーに一致する電話番号が発見されたときは、利用ユーザは登録ユーザであると判断する（Ｓ５１２：Ｙｅｓ）。この場合は、Ｓ５１４の処理は実行されない。
次に、サーバシステム制御部２０４は、利用ユーザのユーザ情報から公開情報を抽出する。抽出された公開情報は、相手方の携帯電話に送信される（Ｓ５１６）。送信後、サーバシステム２００は処理を終了する。
【００８０】
上記処理により、相手方は、自己の公開情報が閲覧された事実と、閲覧した利用ユーザの公開情報との２つを知ることができる。相手方は、受信した公開情報が複数である場合には、携帯電話の検索機能を用いて、必要とする公開情報のみを検索、閲覧することができる。
【００８１】
（第２の実施形態）
次に、本発明に係る第２実施形態について説明する。
本実施形態は、第１実施形態の通信システムに、さらに広告を取り扱う機能を付加している。本実施形態のサーバシステム２００は、登録されているユーザについて年齢別、男女別等の統計をとり、その結果（以下、「ユーザ統計情報」という）を広告主に送信する。また、サーバシステム２００は、広告主から広告内容とその広告を送付すべき広告対象者の条件等を含む広告情報を受信する。サーバシステム２００は、受信した広告を広告対象者に該当する登録ユーザの携帯電話に配信する。また、サーバシステム２００は、広告を配信する際、送信先の統計が取り、その結果（以下、「配信ユーザ統計情報」という）を広告主に送信する。
【００８２】
図１５は、広告主から送信される広告情報の構成の例を示す。広告情報は、広告主識別情報、広告内容、および広告対象を有している。広告主識別情報は、広告主の名前、名称、ｅ−ｍａｉｌアドレス、住所等、広告主を特定する情報である。本実施形態では、広告主の電話番号を広告主識別番号として採用している。広告内容は、配信する広告の具体的内容である。広告内容は、テキストデータ、画像データ又は音声データ等で構成する。配信対象は、広告を配信すべき対象の条件である。例えば、広告情報１では、広告対象が、年齢が２０から４０歳までの男性で、東京都又は神奈川県に在住しており、ドライブを趣味としている者である。
【００８３】
図１６は、本実施形態で用いるサーバシステム２００の概略機能ブロック図である。本実施形態のサーバシステム２００は、ユーザ統計情報ファイル２２４、配信ユーザ統計情報ファイル２２６、および広告ＤＢ２２８を備えている点で第１実施形態のサーバシステムと異なっている。
【００８４】
図１７は、ユーザ統計情報ファイル２２４に保存するユーザ統計情報の構成例を示す。ユーザ統計情報ファイル２２４は、ユーザ情報の各項目について男女別の統計結果を保存する。図示の例では、ユーザ統計情報は、プロフィールデータベース２０８に保存されている項目のうち、「年齢」、「住所」および「趣味」について統計をとり、おのおのを別ファイルとして保存している。ファイル「年齢」には、年齢別かつ男女別に登録ユーザの人数が記録されている。ファイル「住所」には、住んでいる都道府県別かつ男女別に登録ユーザの人数が記録されている。また、ファイル「趣味」には、カラオケ、ドライブ等、趣味の内容別かつ男女別にユーザの人数が記録されている
【００８５】
図１８は、広告ＤＢ２２８に保存される広告データベースの構成を示す。広告データベースは、広告主から広告情報として送信された広告主識別情報、広告内容および配信対象を各々の広告情報に付された整理番号に関連づけて保存する。
【００８６】
図１９は、配信ユーザ統計情報ファイル２２６に保存する配信ユーザ統計情報の構成例を示す。図１９には、図１５に示した２つの広告情報に対応した２つの配信ユーザ統計情報が示されている。配信ユーザ統計情報は、配信した広告の整理番号を有する。また、配信ユーザ統計情報は、広告を配信した登録ユーザに関する統計情報を有する。図示の例では、配信ユーザ統計情報１が整理番号１５２５の広告に関する情報であり、この広告が配信された登録ユーザには、東京都在住の者が２０人いることが示されている。
【００８７】
次に、本実施形態におけるユーザ統計情報の収集、広告の配信、配信ユーザ統計情報の収集等について説明する。
【００８８】
図２０は、本実施形態におけるサーバシステムの動作を示すフローチャートである。
【００８９】
本実施形態では、はじめに、サーバシステムの制御部２０４がユーザ統計情報を作成する（Ｓ８０２）。
【００９０】
ユーザ統計情報を作成した後、サーバシステム制御部２０４はそのユーザ統計情報の内容を所定の広告主に送信する（Ｓ８０４）。送信するユーザ統計情報は、ユーザ統計情報として保存されている全ファイルの内容である。ただし、送信相手ごとに、送信相手の特性を考慮して、特定のファイルの内容のみを送信してもよい。例えば、送信する広告主が不動産関連企業であれば、ファイル「住所」および「年齢」のみを送信してもよい。本実施形態は、このように登録されているユーザ統計情報を広告主に送信することで、広告主に、広告を依頼した場合の効果を推定する資料を与える。
【００９１】
次に、サーバシステム制御部２０４は広告主から広告情報を受信する（Ｓ８０６）。サーバシステム制御部２０４は受信した広告情報に整理番号を付与し、整理番号と広告情報を広告データベースに保存する（Ｓ８０８）。
次に、サーバシステム制御部２０４は、広告情報の配信対象の項目に基づいて、配信ユーザ統計情報を作成し、配信ユーザ統計情報ファイル２２６に保存する（Ｓ８１０）。
【００９２】
次に、サーバシステム制御部２０４は広告を配信する（Ｓ８１２）。具体的には、サーバシステム制御部２０４は、広告情報の配信者対象に合致するユーザ情報を抽出し、抽出したユーザ情報にのみ広告を送信する。また、サーバシステム制御部２０４は、広告の送信後に、配信ユーザ統計情報の該当個所に１を加算する。
【００９３】
広告の配信が終了すると、サーバシステム制御部２０４は配信ユーザ統計情報ファイル２２６に格納されている各々の配信ユーザ統計情報を対応する広告主に送信する（Ｓ８１６）。配信ユーザ統計情報の送信が終了すると、サーバシステム２００は処理を終了する。
【００９４】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００９５】
例えば、図１３のＳ４１４からＳ４２２において、利用ユーザが、撮影システム１００において他人の公開情報を閲覧した後に、相手方に自己の情報を送信するときは、送信する情報を利用ユーザが選択してもよい。この場合、撮像システム１００は、図１３のＳ４２２を実行する前に、利用ユーザに、ユーザ情報のうち相手方へ送信したい項目を選択させる。次に、撮像システム１００は、Ｓ４２２において、利用ユーザが選択した項目のみを相手方へ送信すべき旨をサーバシステム２００へ指示する。
【００９６】
一例として、利用ユーザは、相手方へ送信する情報として自己の携帯電話の電話番号を選択することができる。これにより、利用ユーザは、相手方に自己の電話番号を直ちに知らせることができる。もし、利用ユーザの電話番号が公開情報に指定されていない場合には、利用ユーザが選んだ相手にのみ電話番号を知せることができるという利益もえられる。一方、相手方には、通知された電話番号を利用して直ちに利用ユーザと連絡を取ることができるという利益がある。
【００９７】
また、図１３のＳ４１４からＳ４２２において、利用ユーザが、撮影システム１００において他人の公開情報を閲覧した後に、相手方に自己の情報を送信するときは、自己のメッセージを撮像システム１００へ新たに入力し、これを送信してもよい。この場合、撮像システム１００は、図１３のＳ４２２を実行する前に、利用ユーザに、相手方へ送信するメッセージの入力を受ける。次に、撮像システム１００は、Ｓ４２２において入力されたメッセージを相手方へ送信すべき旨をサーバシステム２００へ指示する。
【００９８】
また、図１４のＳ５０４の処理において、公開情報に、各項目の情報が簡易情報に指定されているか否かを示す情報を含めてもよい。この場合、撮像システム１００では、モニタ１０２に表示する情報を簡易情報に指定されている情報に限定し、公開情報の全体はプリンタ１０６でのみ出力することができる。
【００９９】
また、図１５のＳ５１６では、利用ユーザの公開情報を相手方の携帯電話に送信していたが、これに代わり、利用ユーザに係るユーザ情報のＩＤ番号を送信してもよい。これにより、相手方は、受信したＩＤ番号に基づいて、閲覧した利用ユーザの公開情報を検索、閲覧することができる。
【０１００】
また、サーバシステム２００のプロフィールＤＢ２０８の構成において、項目「住所」を都道府県名を格納する領域、群市区名を格納する領域、および町名番地を格納する領域に分割し、それら領域の各々に簡易情報フラグ領域を設けてもよい。これにより、住所を都道府県名、群市区名、および町名番地の単位で公開情報又は簡易情報に指定することが可能となる。
【０１０１】
また、ユーザ情報を登録するために、撮像システム１００からサーバシステム２００へユーザ情報を送信するときに、さらに撮像システム１００を識別する情報をも送信し、その識別情報をユーザ情報に関連づけてサーバシステム２００のデータベースに保存してもよい。このようにユーザ登録がなされた撮像システム１００の識別情報をユーザ情報と関連づけて保存すると、そのユーザ情報が登録された撮像システムを直ちに特定することが可能になる。また、撮像システム１００の識別情報を所在地ＤＢ２１６に保存されている撮像システム１００の住所等と合わせて参照すれば、当該撮像システムの所在地も直ちに特定することが可能になる。このように特定された撮像システムの所在地は、ユーザ登録がなされた場所として簡易情報又は公開情報に含め、利用ユーザに公開すると便利である。なぜならば、ユーザ登録がなされ場所は、そのユーザが立ち寄る場所と考えられる点でそのユーザに関する有意義な情報を与えるものだからである。
【０１０２】
また、第２実施形態では、広告を携帯電話にではなく撮像システムへ送信することとしてもよい。より具体的には、サーバシステム２００が撮像システム１００から利用ユーザの電話番号を受信する度に、その利用ユーザが配信対象となっている広告を広告ＤＢから検索し、撮像システム１００へ送信する。撮像システム１００では、モニタ１０２に表示するユーザ情報ときに、広告をあわせて表示してもよい。また、撮像システム１００は、プリンタ１０６でシールを印刷するときに、そのシールの余白部分に広告を印刷してもよい。
【０１０３】
また、撮像システム１００と携帯電話４００は、携帯電話差込口１０４ａ，ｂ，ｃを介して通信したが、これに代えて、Ｂｌｕｅｔｏｏｔｈによる通信を行ってもよい。
【０１０４】
【発明の効果】
上記説明から明らかなように、本発明によればユーザ間の情報交換を仲介し、かつユーザの希望にマッチした情報を各ユーザに提供することができる。
【図面の簡単な説明】
【図１】通信システム全体の概略を示す図である。
【図２】撮像システム１００の概略機能ブロック図である。
【図３】撮像システム１００の外観図である。
【図４】サーバシステム２００の概略機能ブロック図である。
【図５】プロフィールデータベース２０８に保持されるデータの構成を模式的に示す図である。
【図６】ユーザ情報データベース２０６に保持されるデータの構成を模式的に示す図である。
【図７】所在地ＤＢ２０６に保持されるデータの構成を模式的に示す図である。
【図８】ユーザ登録を行うときの撮像システム１００の動作を示すフローチャートである。
【図９】モニタ１０２に表示される画面例を示す図である。
【図１０】プリンタ１０６から出力されたシール４１０及び携帯電話４００に表示された壁紙４０４を示す図である。
【図１１】ユーザ登録を行うときのサーバシステム２００の動作を示すフローチャートである。
【図１２】携帯電話４００を用いてユーザ条件を検索、閲覧する場合のサーバシステムの動作を示すフローチャートである。
【図１３】ユーザ情報を検索、閲覧するときの撮像システム１００の動作を示すフローチャートである。
【図１４】利用ユーザがユーザ情報を検索、閲覧する場合のサーバシステム２００の動作を示すフローチャートである。
【図１５】広告主から送信される広告情報の構成の例を示す図である。
【図１６】第２実施形態におけるサーバシステム２００の概略機能ブロック図である。
【図１７】ユーザ統計情報の構成例を示す図である。
【図１８】広告データベースの構成を示す図である。
【図１９】配信ユーザ統計情報の構成例を示す図である。
【図２０】第２実施形態におけるサーバシステム２００の動作を示すフローチャートである。
【符号の説明】
１００…撮像システム    １０２…ＬＣＤモニタ    １０４…携帯電話差込口
１０６…プリンタ    １０８…マイク    １１０…操作部  １１２…携帯電話通信部    １１４…個人認証データメモリ    １１６…制御部    １２０…撮像ユニット    １２２…画像メモリ    １２４…音声データメモリ    １２６…プロフィールメモリ    １２８…公開内容メモリ    １３０…検索条件メモリ
１３２…公開情報メモリ  １３４…サーバ通信部    １４０…撮像部    ２００…サーバシステム    ２０２…撮像システム通信部    ２０４…サーバシステム制御部    ２０６…ユーザ情報データベース    ２０８…プロフィールデータベース    ２０８ａ…公開フラグ領域    ２０８ｂ…簡易情報フラグ領域    ２１０…画像データベース    ２１２…音声データベース    ２１４…携帯電話通信部    ２１６…所在地ＤＢ    ２１８…公開内容ファイル    ２２０…公開希望項目ファイル    ２２２…簡易情報項目ファイル    ２２４…ユーザ統計情報ファイル    ２２６…配信ユーザ統計情報ファイル    ３００…通信網    ４００…携帯電話    ４０２…携帯電話表示部    ４０４…壁紙    ４１０…画像シール
【図１】
0004049514.tif 000002
【図２】
0004049514.tif 000003
【図３】
0004049514.tif 000004
【図４】
0004049514.tif 000005
【図５】
0004049514.tif 000006
【図６】
0004049514.tif 000007
【図７】
0004049514.tif 000008
【図８】
0004049514.tif 000009
【図９】
0004049514.tif 000010
【図１０】
0004049514.tif 000011
【図１１】
0004049514.tif 000012
【図１２】
0004049514.tif 000013
【図１３】
0004049514.tif 000014
【図１４】
0004049514.tif 000015
【図１５】
0004049514.tif 000016
【図１６】
0004049514.tif 000017
【図１７】
0004049514.tif 000018
【図１８】
0004049514.tif 000019
【図１９】
0004049514.tif 000020
【図２０】
0004049514.tif 000021